(57)【要約】【課題】印刷対象とはしない種類のカードへの印刷を防止する。【解決手段】実行するジョブが媒体への印刷であり、かつ前回実行したジョブが印刷でない場合には、その媒体に対して記録部による情報の書き込みを試みて、書き込みが失敗した場合に、印刷部による印刷を実行する。【選択図】図５
2020138395.tif 000002
【特許請求の範囲】
【請求項１】
情報を記録する記録部を有する媒体に、情報を書き込むための記録手段と、
媒体の表面に印刷を行うための印刷手段と、
前記記録手段による情報の書き込みと前記印刷手段により印刷とを制御する制御手段とを有し、
前記制御手段は、実行するジョブが媒体への印刷であり、前記記録手段による情報の書き込みを含まない場合には、該媒体に対して前記記録手段による情報の書き込みを試みて、書き込みが失敗した場合に、前記印刷手段による印刷を実行する印刷制御を行うことを特徴とする記録装置。
【請求項２】
請求項１に記載の記録装置であって、
前記記録手段は、情報の記録方法が相異なる複数の種類の媒体のうち、指定された種類の媒体に情報を書き込むための複数の記録部を有しており、
前記制御手段は、前記印刷制御において、実行するジョブが媒体への印刷であり、前記複数の記録部のいずれによる情報の書き込みも含まない場合には、該媒体に対して前記記録手段が有する全ての前記記録部による情報の書き込みを試みて、書き込みが失敗した場合に、前記印刷手段による印刷を実行することを特徴とする記録装置。
【請求項３】
請求項１に記載の記録装置であって、
前回実行したジョブで指定された媒体の種類を記憶する記憶手段を更に有し、
前記記録手段は、情報の記録方法が相異なる複数の種類の媒体のうち、指定された種類の媒体に情報を書き込むための複数の記録部を有しており、
前記制御手段は、前記印刷制御において、実行するジョブが媒体への印刷のみである場合には、前回実行したジョブで指定された前記媒体の種類に対応する記録部による情報の書き込みを試みて、書き込みが失敗した場合に、前記印刷手段による印刷を実行することを特徴とする記録装置。
【請求項４】
情報を記録する記録部を有する媒体に、情報を書き込むための記録手段と、
媒体の表面に印刷を行うための印刷手段と、
前回実行したジョブが印刷であるか否かを少なくとも記憶する記憶手段と、
前記記録手段による情報の書き込みと前記印刷手段により印刷とを制御する制御手段とを有し、
前記制御手段は、実行するジョブが媒体への印刷であり、かつ前回実行したジョブが印刷でない場合には、該媒体に対して前記記録手段による情報の書き込みを試みて、書き込みが失敗した場合に、前記印刷手段による印刷を実行する印刷制御を行うことを特徴とする記録装置。
【請求項５】
請求項４に記載の記録装置であって、
前記記録手段は、情報の記録方法が相異なる複数の種類の媒体のうち、指定された種類の媒体に情報を書き込むための複数の記録部を有しており、
前記記憶手段はさらに、前回実行したジョブで指定された媒体の種類を記憶し、
前記制御手段は、前記印刷制御において、実行するジョブが媒体への印刷であり、かつ前回実行したジョブが印刷でない場合には、該媒体に対して、前回のジョブで指定された媒体の種類に対応する前記記録部による情報の書き込みを試みて、書き込みが失敗した場合に、前記印刷手段による印刷を実行することを特徴とする記録装置。
【請求項６】
請求項３又は５に記載の記録装置であって、
前記複数の種類の媒体は、非接触式ＩＣカードと接触式ＩＣカードと磁気カードとを含むことを特徴とする記録装置。  
【請求項７】
請求項１乃至６のいずれか一項に記載の記録装置であって、
前記媒体を複数ならべて載置する載置手段を更に有し、
前記制御手段は、前記載置手段に載置された前記媒体のうち、先頭の一枚を対象として前記印刷制御を実行し、前記先頭の一枚について印刷を実行した場合には、その後の媒体については前記印刷制御を行うことなく印刷することを特徴とする記録装置。
【発明の詳細な説明】
【技術分野】
【０００１】
本発明は、記録媒体に画像および情報を記録する記録装置に関する。
【背景技術】
【０００２】
特許文献１によれば、印刷および複数種類の情報書込みが可能な記録装置が提案されている。この記録装置で情報書込みを行う場合は、情報書込みの種類に対応した情報書込み部を具備するカードが供給される必要があり、また、印刷を行う場合は、情報書込み部を具備しないカードが供給される必要がある。
【先行技術文献】
【特許文献】
【０００３】
【特許文献１】特開２０１１−２０９９０９号公報
【発明の概要】
【発明が解決しようとする課題】
【０００４】
しかし、従来技術では、印刷要求を受信した際に誤って情報書込み部を具備するカードが供給された場合、供給されたカードが情報書込み部を具備していることを検知しないため、情報書込み部を具備するカードに印刷を行ってしまい、消耗品および印刷時間が無駄になるという課題があった。
【０００５】
本発明は、このような従来の技術に存在する課題に鑑みてなされたものであり、供給されたカードが印刷対象ではない種類のカードであることを判別し、消耗品および印刷時間が無駄になることを防止して、資源の効率化を図ることを目的とする。
【課題を解決するための手段】
【０００６】
上記目的を達成するために本発明は以下の構成を有する。すわなち、本発明の第一の側面によれば、情報を記録する記録部を有する媒体に、情報を書き込むための記録手段と、
媒体の表面に印刷を行うための印刷手段と、
前記記録手段による情報の書き込みと前記印刷手段により印刷とを制御する制御手段とを有し、
前記制御手段は、実行するジョブが媒体への印刷である場合には、該媒体に対して前記記録手段による情報の書き込みを試みて、書き込みが失敗した場合に、前記印刷手段による印刷を実行する印刷制御を行うことを特徴とする記録装置が提供される。
【０００７】
或いは、本発明の第二の側面によれば、情報を記録する記録部を有する媒体に、情報を書き込むための記録手段と、
媒体の表面に印刷を行うための印刷手段と、
前回実行したジョブが印刷であるか否かを少なくとも記憶する記憶手段と、
前記記録手段による情報の書き込みと前記印刷手段により印刷とを制御する制御手段とを有し、
前記制御手段は、実行するジョブが媒体への印刷であり、かつ前回実行したジョブが印刷でない場合には、該媒体に対して前記記録手段による情報の書き込みを試みて、書き込みが失敗した場合に、前記印刷手段による印刷を実行する印刷制御を行うことを特徴とする記録装置が提供される。
【発明の効果】
【０００８】
本発明によれば、供給されたカードが印刷対象ではない種類のカードであることを判別することができる。それにより消耗品および印刷時間が無駄になることを防止して、資源の効率化を図ることが可能となる。
【図面の簡単な説明】
【０００９】
【図１】コントローラを説明する図
【図２】記録装置を示す図
【図３】カード種類を示す図
【図４】メインの処理を示すフローチャート
【図５】ジョブ実行を示すフローチャート
【発明を実施するための形態】
【００１０】
以下、図面を参照して本発明の実施形態を詳細に説明する。
［実施形態１］
●システム構成
図１は印刷システム２００を説明する図である。本実施形態の記録装置である、磁気情報や電子情報の書き込み機能を併せ持つ印刷装置１は、印刷システム２００の一部を構成している。すなわち、印刷システム２００は、大別して、上位装置２０１（例えば、パーソナルコンピュータ等のホストコンピュータ）と、印刷装置１とで構成されている。印刷装置１は、図示を省略したインターフェースを介して、上位装置２０１に接続されており、上位装置２０１は、印刷装置１に印刷データや磁気的ないし電気的記録データ等を送信して、記録動作等を指示することが可能である。なお、印刷装置１は、オペレーションパネル部（オペパネ部、操作表示部とも呼ぶ）５を有しており、上位装置２０１からの記録動作指示の他、オペパネ部５からの記録動作指示も可能である。本実施形態では記録装置１による記録対象は相異なる複数種類の媒体であり、記録媒体として磁気ストライプを一方の面に配した磁気カード、または、ＩＣチップを一方の面に埋め込んだＩＣカード、または磁気ストライプの面の他方の面にＩＣチップを埋め込んだＩＣ磁気カードを含む。ＩＣチップは、接触式の場合にはＩＣメモリとメモリにアクセスするための回路とを含み、接点を設けた面からアクセスできる。また非接触式では電気的な接点の露出はなく、両面からアクセスできる。本実施形態では、磁気カードと接触式のＩＣカードおよび接触式のＩＣ磁気カードを処理の対象とする。
【００１１】
上位装置２０１には、デジタルカメラやスキャナ等の画像入力装置２０４、上位装置２０１に命令やデータを入力するためのキーボードやマウス等の入力装置２０３、上位装置２０１によって生成されたデータ等の表示を行なう液晶ディスプレイ等のモニタ２０２が接続されている。
【００１２】
上位装置（ホストコンピュータ）２０１は、モニタ２０２や、キーボード等の入力装置２０３、画像スキャナ等の画像入力装置２０４を備えており、印刷装置１に対して印刷要求を入力できる。また印刷される画像等は、画像入力装置２０４により入力でき、モニタ２０２でその画像をユーザが確認できる。また入力装置２０３により編集することも可能である。さらにユーザは入力装置２０３を用いて印刷の指示を与えることもできる。
【００１３】
一方印刷装置１は、印刷装置１全体の動作制御を行う制御部１００と、商用交流電源から各機構部および制御部等を駆動／作動可能な直流電源に変換する電源部１２０とを有している。本例の印刷装置１は、インクリボンに塗布されたインクを印刷対象のカードに対向させた状態でサーマルヘッドにより加熱し、インクを昇華させて印刷対象のカードに画像として記録する。ただし、本実施形態では印刷方式はどのようなものであってもよく、たとえばインクジェット式などでもよい。
【００１４】
図１に示すように、制御部１００は、印刷装置１の全体の制御処理を行うマイクロコンピュータ１０２（以下、マイコン１０２と略称する。プロセッサとも呼ぶ）を備えている。マイコン１０２は、中央演算処理装置として高速クロックで作動するＣＰＵ、印刷装置１の基本制御動作（プログラムおよびプログラムデータ）が記憶されたＲＯＭ、ＣＰＵのワークエリアとして働くＲＡＭ、およびこれらを接続する内部バスで構成されている。
【００１５】
マイコン１０２には外部バスが接続されている。外部バスには、上位装置２０１との通信を行うための図示を省略したインターフェース、カードに印刷すべき印刷データやカードの磁気ストライプ部や内蔵ＩＣに磁気的ないし電気的に記録すべき記録データ等を一時的に格納するバッファメモリ１０１が接続されている。
【００１６】
また、外部バスには、各種センサからの信号を制御するセンサ制御部１０３、各モータに駆動パルスや駆動電力を送出するモータドライバ等を制御するアクチュエータ制御部１０４、サーマルヘッド４０を構成する発熱素子への熱エネルギを制御するためのサーマルヘッド制御部１０５、オペパネ部５を制御するための操作表示制御部１０６、不揮発性メモリ１０７、および、情報記録部Ａが接続されている。電源部１２０は、制御部１００、サーマルヘッド４０、オペパネ部５および情報記録部Ａに作動／駆動電源を供給している。
【００１７】
上位装置（ホストコンピュータ）２０１から受信する印刷要求には印刷すべき画像データなどが含まれており、印刷枚数や印刷対象の指定を含む印刷要求や画像データは、印刷処理の間、バッファメモリ１０１に格納される。また、不揮発性メモリ１０７により、最後に受信したユーザからの印刷要求を保持する。たとえば、印刷要求を受信する都度、不揮発性メモリ１０７に保持された、最後に受信したユーザからの印刷要求は更新される。
【００１８】
●印刷装置の構成
図２は記録装置１を示す図である。図２に示すように、印刷装置１はハウジング２を有しており、ハウジング２には情報記録部Ａと画像形成部Ｂと媒体収容部Ｃと収容部Ｄとが備えられる。
【００１９】
情報記録部Ａは、磁気記録部２４と、非接触式ＩＣ記録部２３と、接触式ＩＣ記録部２７とで構成される。媒体収容部Ｃは、複数枚のカードを立位姿勢で整列して収納しており、その先端には分離開口７が設けられて、ピックアップローラ１９にて最前列のカードから繰り出し供給するようになっている。
【００２０】
繰り出されたカードは、先ず搬入ローラ２２にて反転ユニットＦに送られる。反転ユニットＦはハウジング２に旋回動可能に軸受け支持された回転フレーム８０と、このフレームに支持された２つのローラ対２０、２１にて構成される。そして、ローラ対２０、２１は回転フレーム８０に回転自在に軸支持されている。反転ユニットＦが旋回する外周には、磁気記録部２４と、非接触式ＩＣ記録部２３および接触式ＩＣ記録部２７が配置されている。そして、ローラ対２０、２１は、これらの情報記録部２３、２４、２７の何れかに向けて搬入する媒体搬入経路６５を形成し、これらの記録部にてカードには磁気的若しくは電気的にデータが書き込まれる。
【００２１】
画像形成部Ｂは、カードの表裏面に顔写真、文字データなど画像を形成するもので、媒体搬入経路６５の延長上にカードを移送する媒体搬送経路Ｐ１が設けられている。また、媒体搬送経路Ｐ１にはカードを搬送する搬送ローラ２９、３０が配置され、図示しない搬送モータに連結されている。画像形成部Ｂはフィルム状媒体搬送装置を備えて、この搬送装置にて搬送される転写フィルム４６に対して、先ずサーマルヘッド４０にて画像を印刷する一次転写部Ｂ１と、続いてヒートローラ３３にて媒体搬送経路Ｐ１にあるカードの表面に、転写フィルム４６に印刷された画像を印刷する二次転写部Ｂ２とを備えている。
【００２２】
画像形成部Ｂの下流側には収容スタッカ６０に印刷後のカードを移送する媒体搬送経路Ｐ２が設けられている。媒体搬送経路Ｐ２にはカードを搬送する搬送ローラ３７、３８が配置され、図示しない搬送モータに連結されている。搬送ローラ３７と搬送ローラ３８の間にはデカール機構３６が配置され、搬送ローラ３７、３８間に保持されたカード中央部を押圧することにより、ヒートローラ３３による熱転写により生じたカールを矯正する。このためデカール機構３６は図示しないカムなどによる昇降機構にて図２に示す上下方向に位置移動可能に構成されている。
【００２３】
収容部Ｄは、画像形成部Ｂから送られたカードを収容スタッカ６０に収容するように構成されている。収容スタッカ６０は、昇降機構６１にて図２で下方に移動するように構成されている。
【００２４】
上記した印刷装置１の全体構成の中で画像形成部Ｂについて、更に詳しく説明する。転写フィルム４６は、モータＭｒ２、Ｍｒ４の駆動にて回転する転写フィルムカセットの巻取ロール４７と繰出ロール４８にそれぞれ巻回されている。フィルム搬送ローラ４９は、転写フィルム４６を移送する主要な駆動ローラであり、このローラ４９の駆動を制御することで転写フィルム４６の搬送量および搬送停止位置が決まる。このフィルム搬送ローラ４９は不図示のステッピングモータに連結されている。フィルム搬送ローラ４９の駆動時にモータＭｒ２も駆動するが、巻取ロール４７が繰り出された転写フィルム４６を巻き取るためのものであって、転写フィルム４６を搬送の主体となって駆動するものではない。なお、繰出ロール４８はモータＭｒ４に連結されており、転写フィルム４６が巻取ロール４７に巻き取られる方向に搬送する際は、モータＭｒ４の回転速度を制御して転写フィルム４６に適度なバックテンションを付与する。センサＳｅ１により転写フィルム４６の所定の位置出し用マークが検知され、検知を示す信号が出力される。
【００２５】
フィルム搬送ローラ４９の周面には、ピンチローラ３２ａとピンチローラ３２ｂとが配置されている。ピンチローラ３２ａ、３２ｂは、図２では示されていないが、フィルム搬送ローラ４９に対して進出および退避するよう移動可能に構成されており、図の状態はフィルム搬送ローラ４９に進出して圧接することで転写フィルム４６をフィルム搬送ローラ４９に巻き付けている。これにより、転写フィルム４６はフィルム搬送ローラ４９の回転数に応じた距離の正確な搬送が行われる。
【００２６】
インクリボン４１はインクリボンカセット４２に収納され、このカセット４２にインクリボン４１を供給する供給スプール４３とインクリボン４１を巻き取る巻取スプール４４が収容され、巻取スプール４４はモータＭｒ１にて駆動し、供給スプール４３はモータＭｒ３にて駆動する。モータＭｒ１およびモータＭｒ３には正逆転可能なＤＣモータが用いられている。また、図２に示すＳｅ２は、インクリボン４１の終端部に付されインクリボン４１の使用限界を表すエンプティマークの符号ＥＭＰ＿Ｍ参照）を検出するための透過型センサである。
【００２７】
プラテンローラ４５とサーマルヘッド４０とは一次転写部Ｂ１を構成しており、プラテンローラ４５に対向する位置にサーマルヘッド４０が配置されている。サーマルヘッド４０は、ヘッドコントロール用ＩＣ（図示せず）により画像データに従って加熱制御されて、昇華型のインクリボン４１を用いて転写フィルム４６に画像を印刷する。なお、冷却ファン３９はサーマルヘッド４０を冷やす為のものである。転写フィルム４６への印刷が終了したインクリボン４１は、剥離コロ２５と剥離部材２８とで転写フィルム４６から引き剥がされる。剥離部材２８はカセット４２に固設されており、剥離コロ２５は印刷時に剥離部材２８に当接して両者で転写フィルム４６とインクリボン４１とを挟持することで剥離が行われる。そして、剥離されたインクリボン４１はモータＭｒ１の駆動による巻取スプール４４に巻き取られ、転写フィルム４６はフィルム搬送ローラ４９により、プラテンローラ３１とヒートローラ３３とを含む二次転写部Ｂ２まで搬送される。
【００２８】
二次転写部Ｂ２では、転写フィルム４６はカードと共にヒートローラ３３およびプラテンローラ３１とで挟持されて、転写フィルム４６上の画像がカード表面に転写される。なお、ヒートローラ３３は、転写フィルム４６を介してプラテンローラ３１に圧接・離間するように昇降機構（不図示）に取り付けられている。印刷装置１は上述した機構により、画像や文字をカード表面に記録（印刷）する。
【００２９】
上記構成により、媒体収容部Ｃに載置されたカードは、反転ユニットＦと搬送機構とにより、情報記録部Ａに搬送して電子的あるいは磁気的な情報を記録し、また読み取ることもできるし、画像形成部Ｂに搬送してその表面に画像を形成することもできる。さらに２つの面を入れ替えることもできる。
【００３０】
●カード構成
図３はカード種類を示す図である。カード３０１は、電子的あるいは磁気的な情報書込み部を具備しないカードである。カード３０２は例えば情報書込み部３１２として接触式ＩＣを具備する磁気カードである。情報書込み手段である接触式ＩＣ記録部２７により情報書込み部３１２に情報書込み可能である。カード３０３はたとえば情報書込み部３１３として非接触式ＩＣを具備する非接触式ＩＣカードである。情報書込み手段である非接触式ＩＣ記録部２３により情報書込み部３１３に情報書込み可能である。カード３０４はたとえば情報書込み部３１４として磁気ストライプを具備する接触式ＩＣカードである。情報書込み手段である磁気記録部２４により情報書込み部３１３に情報書込み可能である。上述した図２の構成の印刷装置を用いることで、図３に示した４つの種類のカードを含むカードを対象として、要求に応じて表面に画像を形成したり、あるいは情報書き込み部を持つカードであれば電子的・磁気的に情報を記録することができる。
【００３１】
●印刷制御手順
図４は本実施形態のメインの処理を示すフローチャートである。電源を起動したら(S101)、ユーザからの要求受信待ち状態に入る(S102)。要求を受信すると、要求に従ってジョブを実行する(S103)。ジョブ実行の詳細は図５を参照して後述する。ジョブ実行終了後、ジョブ実行の中でエラーフラグが立ったか否かを判定し(S104)、エラーフラグが立っていればエラーを表示する(S105)。表示はエラーの種類によるが、たとえば印刷対象として指定されたカードの種類と媒体収容部Ｃから搬送されたカードの種類とが一致しなければ、そのことをエラーと共に表示し、ユーザに積載部のカード交換を促す。その場合には、カード積載部（収容部Ｃ）のカバー開閉が行われたら(S106のYES)、カード交換が行われたと判断し、エラー表示およびエラーフラグを解除する(S107、S108)。電源オンが継続中であれば、再び要求受信待ち状態に入る(S109のYES)。なおS108の後には、ジョブを継続できるエラーであれば、S103に戻ってジョブの続きを実行してもよい。また図４は、電源投入後にS102から実行してもよい。
【００３２】
図５はステップＳ１０３のジョブ実行を示すフローチャートである。
●情報書込み要求を受信した場合
ジョブ実行時にはまず受信した要求（ジョブ）が印刷であるか否かを判定する(S201)。要求が印刷でなければ電子的または磁気的な情報書込みであるため、要求に対応した情報書込みを行う(S221)。例えば、要求が非接触式ＩＣ記録部２３による情報書込みであれば、要求通り非接触式ＩＣ記録部２３にカードを搬送して情報書込みを行う。情報書込みが成功すれば(S222のYES)、要求の枚数の情報書込みが全て完了するまで情報書込みを繰り返す(S223のNO)。要求の枚数の情報書込みが全て完了すれば(S223のYES)、今回受信した要求を前回要求として保存しておき(S224)、ジョブ実行を終了する。また、要求の枚数の情報書込みが全て完了するまでに情報書込みを失敗した場合、エラーフラグをセットしてジョブ実行を終了する。
【００３３】
●印刷要求を受信した場合
受信した要求（ジョブ）が印刷であるか判定し(S201)、印刷であれば(S201のYES)、まず不揮発性メモリ１０７を参照して前回要求も印刷であったか否かを判定する(S202)。前回要求も印刷であればそのまま印刷を行う(S203)。一方、前回要求が印刷でなければ、前回まで情報書込みを行っており、情報書き込みのために積載部にセットされていた情報書込み部を具備するカードがそのまま載置されている可能性がある。本実施形態では、印刷の対象とするカードの種類は、情報書込み部を具備しないカード３０１に限られており、前回のジョブの対象となった情報書込み部を具備するカードは印刷の対象とはしていない。そのため、前回実行した要求すなわちジョブが印刷でなければ、印刷を行う前に、前回要求に対応した情報書込みを試みる(S211)。これによりカード交換が行われたか否かを判定する。例えば、前回まで非接触式ＩＣ記録部２３による情報書込みを行っていた場合、非接触式ＩＣカード３０３が積載部に残っている可能性がある。そのため、S211では、今回搬送されたカードに対しても非接触式ＩＣ記録部２３による情報書込みを試みる。
【００３４】
◎情報書込みが失敗した場合
S211における情報書込みを行ったならその結果を判定する(S212)。情報書き込みが失敗した場合(S212のNO)、搬送されたカードは情報書込み部を具備しないカードであると判断し、印刷を行う(S203)。また、情報書き込みを試みた、供給されたカードだけでなく、積載部（媒体収容部Ｃ）の全てのカードが情報書込み部を具備しないカードに交換済みであると判断し、次カード以降はS211によるカード検査は行わずに印刷を行う。このためには、S202の前に、ジョブの対象のカードのうち先頭の一枚であるか判定してもよいし、S212で書き込みが成功したなら、この段階で、前回のジョブとして印刷ジョブであることを記録してもよい。要求の枚数分印刷が全て完了したら(S204のYES)、要求を前回要求として保存し(S205)、ジョブ実行を終了する。
【００３５】
◎情報書込みが成功した場合
一方S211における情報書込みが成功した場合(S212のYES)、積載部（媒体収容部Ｃ）に積載されたカードが、前回のジョブの対象であった情報書込み部を具備するカードから交換されていないと判断し、印刷は行わず、エラーフラグをセットし(S213)、ジョブ実行を終了する。この結果、エラーフラグに対応するエラーを表示等により出力し、エラーがあったことをユーザに報知する。
【００３６】
●実施形態１の効果
以上の構成及び手順により、簡易な検査によって、供給されている媒体が印刷処理の対象であるか否かを判定できる。すなわち、本例の装置は、情報書き込み部を有するカードの種類としては３種類を対象とした装置であるが、検査の対象はそのうちの１種類で済む。もしも３種類すべてについて情報を書き込み可能か検査すれば、印刷対象のカードであることを判定するためには、そのすべてについて書き込みを試みて、書き込みが失敗したことを確認しなければならない。これに対して本実施形態では、その検査を効率的に実行できるだけでなく、検査によって誤った種類のカードへの印刷を防止でき、カードやインク等、処理に要した時間等の資源の浪費を防止できる。
【００３７】
［実施形態２］
上記実施形態では、供給されているカードの種類が、前回のジョブで指定されたカードの種類と一致しているか判定している。本実施形態では、印刷装置１によってサポートされているすべての情報書き込み方法により、提供されているカードへの情報書き込みを試みる。そしてそのすべてについて書き込みが失敗したなら、そのカードは印刷対象のカードであると判定する。この実施形態を実現するためには、例えば図５において、S201で、ジョブが印刷と判定した場合には、現在供給されているカードについて、非接触式ＩＣカード、接触式ＩＣカード、磁気カードなどいったサポートする全ての記録方式について順に情報の記録を試みる。そのうちのどれかで書き込みが成功したなら、S213でエラーとする。一方、全てについて書き込みが失敗したなら、S203以下で印刷を実行する。
【００３８】
このようにすることで、印刷対象として積載されたカードが、実際に印刷対象となる種類のカードであることを確認した上で、印刷を行うことができる。これによりカードや記録剤といった資源の浪費を防止し、またやり直しを防ぐことで処理の効率化を図ることができる。
【００３９】
［実施形態３］
上記実施形態で対象とする種類のカードのうち、印刷対象となるカードと外観上混同しやすいのは非接触式ＩＣカード３０３である。接触式ＩＣカード３０２や磁気カード３０４は、端子や磁気ストライプが露出しており、外観上識別しやすい。しかし非接触式ＩＣカード３０３では、ＩＣチップは露出しておらず、情報記録部を持たないカード３０１と外観上識別が困難である。
【００４０】
そこで本実施形態では、受信したジョブが印刷である場合には、前回のジョブに対応した情報書き込み方法に加えて、非接触式ＩＣ記録部２３による情報記録を試みる。もちろん前回ジョブが非接触式ＩＣカードの情報記録ならそれのみであってよい。このようにすることで、外観上のカードの誤りも防止しやすくなる。そのために、例えば図５の手順において、S212で書き込みが失敗と判定した場合には、前回の書き込みが、非接触式ＩＣカードを対象としていればS203以下で印刷を行う。また、前回の書き込みが、非接触式ＩＣカード以外であれば、前回の書き込みと同じ方法で情報書き込みを試みる。それが失敗したならS203以下で印刷を行う。一方、いずれかの方法による書き込みが成功したならS213でエラー処理を行う。
【００４１】
このようにすることで、実施形態２よりも情報書き込みの試行数を減らすことができる。またユーザが犯しやすい外観による誤りを防止することができる。
【００４２】
なお本発明は上記実施形態１−３に制限されるものではなく、本発明の精神及び範囲から逸脱することなく、様々な変更及び変形が可能である。
【００４３】
なお図５の手順のステップS201において、受信した要求（ジョブ）が印刷であるか否かを判定している。この判定で、例えば一つのジョブに印刷と印刷ではない情報書き込みとを含むならば、そのジョブは印刷要求であるとは判定しなくともよい。すなわち、ステップS201で受信した要求（ジョブ）が印刷であると判定されるのは、情報書き込みを伴わない、印刷のみの要求である場合に限ってもよい。
【符号の説明】
【００４４】
２００  印刷システム、１０７  不揮発性メモリ、１  印刷装置、２  積載部、Ａ  情報記録部、Ｃ  媒体収容部、Ｆ  反転部、Ｐ１  搬送部、Ｂ  印刷部、２３  非接触式ＩＣ記録部、２４  磁気記録部、２７  接触式ＩＣ記録部
【図１】
2020138395.tif 000003
【図２】
2020138395.tif 000004
【図３】
2020138395.tif 000005
【図４】
2020138395.tif 000006
【図５】
2020138395.tif 000007